(57)【特許請求の範囲】
【請求項１】
種類の異なる転写リボンを個別に備えた複数の交換カセットが選択的に装着される転写具ケースのヘッド取付け位置に、前記交換カセットから繰り出される転写リボンの転写塗膜を被転写面に転写する複数種類の転写ヘッドを、前記交換カセットの転写リボンの種類に対応して選択使用自在に設けてある塗膜転写具であって、
前記選択使用された転写ヘッドの種類と転写具ケースに装着される交換カセットの転写リボンの種類とが合致したときのみ、該交換カセットが転写具ケースに装着可能となる装着牽制手段を設けてある塗膜転写具。
【請求項２】
前記装着牽制手段が、選択使用された転写ヘッドと転写具ケースに装着される交換カセットとのカセット装着方向で相対向する部位に、カセット装着方向から脱着自在に嵌合する嵌合部と被嵌合部とを形成して構成されている請求項１記載の塗膜転写具。
【請求項３】
前記装着牽制手段の被嵌合部が、選択使用されなかった転写ヘッドをもって構成されている請求項２記載の塗膜転写具。
【請求項４】
前記複数種類の転写ヘッドが一体的に形成されていて、前記転写具ケースに対する回転操作により、前記ヘッド取付け位置に対して選択的に使用切り換え自在に構成されている請求項１、２又は３記載の塗膜転写具。
【発明の詳細な説明】
【０００１】
【発明の属する技術分野】
本発明は、転写塗膜の種類（例えば、文字修正用塗膜や接着用粘着膜、装飾用着色塗膜等）が異なる転写リボン、転写塗膜の厚みが異なる転写リボン、或いは、転写リボンの基材の種類が異なる転写リボンなど、種類の異なる転写リボンを個別に備えた複数の交換カセットが選択的に装着される転写具ケースのヘッド取付け位置に、前記交換カセットから繰り出される転写リボンの転写塗膜を被転写面に転写する複数種類の転写ヘッドを、前記交換カセットの転写リボンの種類に対応して選択使用自在に設けてある塗膜転写具に関する。
【０００２】
【従来の技術】
この種の塗膜転写具では、例えば、転写リボンの転写塗膜が接着用粘着膜の場合はローラ状の転写ヘッドを使用し、また、転写リボンの転写塗膜が文字修正用塗膜の場合にはヘラ状の転写ヘッドを使用するといった具合に、転写リボンの種類に応じて転写ヘッドの種類を選択使用することが塗膜転写性能の面で要望されている。
そのため、従来では、上述の要望を達成する方法として下記のものが提案されている。
（イ）種類の異なる転写リボンを個別に備えた複数の交換カセットの各々に、該交換カセットに装備される転写リボンに対応した転写ヘッドを設けたもの。
（ロ）種類の異なる転写リボンを個別に備えた複数の交換カセットが選択的に装着される転写具ケースのヘッド取付け位置に、転写リボンの種類に対応した種類の転写ヘッドを選択的に付け替え自在に構成したもの（例えば特開平１−１２２８７０号公報参照）。
【０００３】
【発明が解決しようとする課題】
従来の前者（イ）による場合では、使用済み後に破棄される交換カセットの各々に転写ヘッドを設けるため、交換カセット自体の製造価格が高騰し、塗膜転写具のランニングコストの上昇を招来していた。
また、従来の後者（ロ）による場合では、転写具ケースに対して複数種類の転写ヘッドを選択的に付け替えるため、使用済み後に破棄される交換カセット自体の製造価格の低廉化を図ることができるものの、転写具ケースに対する転写ヘッドの付け替えと転写具ケースに対する交換カセットの装着とが別々に行われるため、転写具ケースに付け替えられた転写ヘッドの種類と転写具ケースの装着された交換カセットの転写リボンの種類とが相違することがあり、その結果、被転写面に対する転写塗膜の転写不良を招来することがあった。
【０００４】
本発明は、上記実情に鑑みてなされたものであって、その主たる課題は、複数種類の転写ヘッドを転写具ケースに選択使用自在に設けて、塗膜転写具のランニングコストの低廉化を図りながらも、選択使用された転写ヘッドの種類に対応していない種類の交換カセットの誤装着を防止して、この誤装着に起因する被転写面に対する転写塗膜の転写不良を回避することができる塗膜転写具を提供する点にある。
【０００５】
【課題を解決するための手段】
上記目的を達成するために、本発明の請求項１記載の塗膜転写具の特徴構成は、種類の異なる転写リボンを個別に備えた複数の交換カセットが選択的に装着される転写具ケースのヘッド取付け位置に、前記交換カセットから繰り出される転写リボンの転写塗膜を被転写面に転写する複数種類の転写ヘッドを、前記交換カセットの転写リボンの種類に対応して選択使用自在に設けてある塗膜転写具であって、
前記選択使用された転写ヘッドの種類と転写具ケースに装着される交換カセットの転写リボンの種類とが合致したときのみ、該交換カセットが転写具ケースに装着可能となる装着牽制手段を設けてある点にある。
上記特徴構成によれば、選択使用された転写ヘッドの種類と転写具ケースに装着される交換カセットの転写リボンの種類とが相違すると、該交換カセットの転写具ケースに対する装着ができないから、選択使用された転写ヘッドの種類と相違する種類の転写リボンを備えた交換カセットが転写具ケースに誤装着されることがない。
しかも、前記複数種類の転写ヘッドは、転写具ケースのヘッド取付け位置に選択使用自在に設けてあるから、交換カセットが使用済みとなって破棄されても転写ヘッドは破棄されることがなく、交換カセットの各々に、該交換カセットに装備される転写リボンに対応した転写ヘッドを設けたものに比して、交換カセットの構造の簡素化及び部品点数の削減を図ることができ、その結果、使用済み後に破棄される交換カセットの製造価格を低廉化することができるとともに、転写ヘッドを交換カセットの交換に拘らず繰り返し使用することができる。
それ故に、塗膜転写具のランニングコストの低廉化を図ることができるとともに、選択使用された転写ヘッドの種類と転写具ケースに装着される交換カセットの転写リボンの種類とが相違する交換カセットの誤装着を防止できるから、この誤装着に起因する被転写面に対する転写塗膜の転写不良を回避することができる。
【０００６】
本発明の請求項２記載の塗膜転写具の特徴構成は、前記装着牽制手段が、選択使用された転写ヘッドと転写具ケースに装着される交換カセットとのカセット装着方向で相対向する部位に、カセット装着方向から脱着自在に嵌合する嵌合部と被嵌合部とを形成して構成されている点にある。
上記特徴構成によれば、嵌合部と被嵌合部との嵌合という簡単な構造をもって、選択使用された転写ヘッドの種類と合致する種類の転写リボンを備えた交換カセットのみを、転写具ケースに装着できるように構成してあるから、装着牽制手段の構造の簡素化を図ることができ、その結果、塗膜転写具の製造価格の低廉化を図ることができる。
【０００７】
本発明の請求項３記載の塗膜転写具の特徴構成は、前記装着牽制手段の被嵌合部が、選択使用されなかった転写ヘッドをもって構成されている点にある。
上記特徴構成によれば、前記転写ヘッドを嵌合部に兼用構成するから、その分だけ、塗膜転写具の部品点数を削減することができ、その結果、更に塗膜転写具の製造価格の低廉化を図ることができる。
【０００８】
本発明の請求項４記載の塗膜転写具の特徴構成は、前記複数種類の転写ヘッドが一体的に形成されていて、前記転写具ケースに対する回転操作により、前記ヘッド取付け位置に対して選択的に使用切り換え自在に構成されている点にある。上記特徴構成によれば、前記複数種の転写ヘッドが一体的に設けられているから、それらの転写ヘッドを一つの部材として取り扱うことができ、しかも、転写具ケースに取付けた状態で使用切り換えすることができるから、例えば、別々に形成された複数種類の転写ヘッドを、ヘッド取付け位置に対して選択的に付け替えるように構成されているものに比して、複数種類の転写ヘッドの付け替え作業途中で、転写ヘッドを紛失する可能性が極めて低く、しかも、転写ヘッドの交換作業を迅速、容易に行うことができる。
それ故に、塗膜転写具の使い勝手の向上を図ることができる。
【０００９】
【発明の実施の形態】
〔第１実施形態〕
図１と図２は、本発明の塗膜転写具の第１実施形態を示し、種類の異なる転写リボンＲ（当該第１実施形態では二種類）を個別に備えた複数（当該第１実施形態では二つ）の交換カセットＡが選択的に装着される転写具ケースＣのヘッド取付け位置Ｅに、該転写具ケースＣに装着された交換カセットＡから繰り出される転写リボンＲの転写塗膜Ｄを被転写面Ｂに転写する複数種類（当該第１実施形態では二種類）の転写ヘッドＨを、交換カセットＡの転写リボンＲの種類に対応して選択使用自在に設けてあるとともに、前記選択使用された転写ヘッドＨの種類と転写具ケースＣに装着される交換カセットＡの転写リボンＲの種類とが合致したときのみ、該交換カセットＡが転写具ケースＣに装着可能となる装着牽制手段Ｇを設けて構成してある。
前記転写具ケースＣのヘッド取付け位置Ｅに設けられた選択使用された転写ヘッドＨの種類と対応する種類の交換カセットＡを、装着牽制手段Ｇを介して転写具ケースＣに装着した状態では、該交換カセットＡから繰り出された転写リボンＲが、前記選択使用された転写ヘッドＨに、転写塗膜Ｄを外側向きとして巻き掛けられる。
【００１０】
図１と図２に示すように、前記転写具ケースＣは、リボン幅方向から接合可能な状態で合成樹脂により一体形成された本体ケース部材Ｃ１と蓋ケース部材Ｃ２とからなり、当該両ケース部材Ｃ１，Ｃ２の板状連設部分を肉薄に形成して揺動自在なヒンジ１を構成するとともに、これらケース部材Ｃ１，Ｃ２を当該ヒンジ１を介して開閉自在に構成してある。
また、前記両ケース部材Ｃ１，Ｃ２の周壁の外周面には、転写具ケースＣを開閉操作するための操作部２が各々一体形成されているとともに、一方の蓋ケース部材Ｃ２の周壁には係止片（図示せず）が形成されていて、本体ケース部材Ｃ１の操作部２の内面側に形成された係合凹部（図示せず）と蓋ケース部材Ｃ２の前記係止片との係合で両ケース部材Ｃ１，Ｃ２が閉じ姿勢にロックするように構成してある。
【００１１】
図１〜図４及び図７、図８に示すように、前記本体ケース部材Ｃ１内で、前記ヘッド取付け位置Ｅの側脇には、合成樹脂製の回転アーム３を、それの長手方向中間位置の転写リボン幅方向に沿う回転軸芯Ｐ周りで回転可能にビス４にて支承してあるとともに、前記回転アーム３の長手方向一端側に、前記転写ヘッドＨとしての合成樹脂製のローラ状の転写ヘッド（以下、転写ローラと称する。）Ｈ１を前記回転軸芯Ｐと平行な軸芯周りで回転自在に片持ち姿勢で保持してあり、かつ、前記回転アーム３の長手方向他端側に、前記転写ヘッドＨとしてのヘラ状の転写ヘッド（以下、転写ヘラと称する。）Ｈ２が一体形成してある。
前記転写ヘラＨ２は、該転写ヘラＨ２に巻き掛けられた転写リボンＲの幅よりも少し大なる幅を備えたリボン押圧部５Ａと、該リボン押圧部５Ａにおける転写リボンＲのリボン幅方向への移動を規制する規制部材としてのカセット装着方向視で三角形状の左右一対の側板５Ｂとを備えているとともに、前記転写ローラＨ１と転写ヘラＨ２とを、前記回転アーム３を介して一体的に形成してある。
そして、前記転写ローラＨ１と転写ヘラＨ２とは、転写具ケースＣに対する回転アーム３の前記回転軸芯Ｐ周りでの回転操作により、前記ヘッド取付け位置Ｅに対して選択的に使用切り換え自在に構成されているとともに、前記本体ケース部材Ｃ１と回転アーム３とに亘って設けられている固定機構６により、選択使用された転写ローラＨ１又は転写ヘラＨ２をヘッド取付け位置Ｅに固定するように構成されている。
【００１２】
図３と図４に示すように、前記固定機構６は、前記本体ケース部材Ｃ１の内面に一体的に突出形成された矩形状の突起７と、前記回転アーム３の本体ケース部材Ｃ１側の一側面に形成された前記突起７と嵌合する矩形状の凹部８とから構成してあるとともに、前記ビス４の先端部を突起７の前記回転軸芯Ｐに沿う中心部に固着（当該第１実施形態では螺合固着）してある。
前記突起７と凹部８との嵌合状態は、図４の（イ）に示すように、前記回転アーム３に形成された円形状の凹部９内に入り込む前記ビス４の頭部４ａと前記凹部９の底面との間に設けられたコイルスプリング１０の弾性付勢力により保持され、その結果、回転アーム３の回転が規制されて、転写ローラＨ１と転写ヘラＨ２とを択一的にヘッド取付け位置Ｅに固定することができるとともに、図４の（ロ）に示すように、前記コイルスプリング１０の弾性付勢力に抗して回転アーム３を本体ケース部材Ｃ１とは反対側に移動操作することにより、前記突起７と凹部８との嵌合状態が解除されて回転アーム３の回転操作が許容される。
そして、図４の（イ）又は（ハ）に示すように、回転アーム３の回転操作で、転写ローラＨ１又は転写ヘラＨ２を選択的にヘッド取付け位置Ｅに回動させた後、回転アーム３の前記移動操作を解除することにより、前記固定機構６により、選択使用された転写ローラＨ１又は転写ヘラＨ２をヘッド取付け位置Ｅに固定することができる。
【００１３】
前記交換カセットＡは、前記転写ローラＨ１と種類が合致する転写リボンＲを備えた第１交換カセットＡ１と、前記転写ヘラＨ２と種類が合致する転写リボンＲを備えた第２交換カセットＡ２とがあり、図５に示すように、第１交換カセットＡ１は、前記転写塗膜Ｄとしての接着用粘着膜Ｄ１（図９の（イ）参照）を合成樹脂フィルム製の基材の一側面に設けてある接着用転写リボンＲ１（前記転写ローラＨ１と種類が合致する転写リボンＲの一例）が、粘着膜Ｄ１側を外向きにしてパンケーキ状に巻き付けられている合成樹脂製の円筒状の繰り出しコア１１と、前記ヘッド取付け位置に固定された転写ローラＨ１を通過したのちの使用済の接着用転写リボンＲ１を巻き取る合成樹脂製の円筒状の巻き取りコア１２とを備え、これら各コア１１，１２を、平板状の保持部材１３に回転自在に片持ち姿勢で保持させて構成してある。
また、図６に示すように、第２交換カセットＡ２は、前記転写塗膜Ｄとしての文字修正用塗膜Ｄ２（図９の（ロ）参照）を紙材製の基材の一側面に設けてある文字修正用転写リボンＲ２（前記転写ヘラＨ２と種類が合致する転写リボンＲの一例）が、塗膜Ｄ２側を外向きにしてパンケーキ状に巻き付けられている合成樹脂製の円筒状の繰り出しコア１１と、前記ヘッド取付け位置Ｅに位置させた転写ヘラＨ２を通過したのちの使用済の文字修正用転写リボンＲ２を巻き取る合成樹脂製の円筒状の巻き取りコア１２を備え、これら各コア１１，１２を、平板状の保持部材１３に回転自在に片持ち姿勢で保持させて構成してある。
【００１４】
前記装着牽制手段Ｇは、選択使用された転写ヘッドＨと転写具ケースＣに装着される交換カセットＡとのカセット装着方向で相対向する部位に、転写具ケースＣに装着される交換カセットＡの転写リボンＲの種類と選択使用された転写ヘッドＨの種類とが合致したときのみカセット装着方向から脱着自在に嵌合する嵌合部Ｇ１と被嵌合部Ｇ２とを形成して構成してある。
【００１５】
詳しくは、図１と図２に示すように、前記装着牽制手段Ｇを構成する前記嵌合部Ｇ１は、前記第１交換カセットＡ１の保持部材１３に貫通形成されたカセット装着方向視で三角形の嵌合孔１４Ａと、前記第２交換カセットＡ２の保持部材１３に貫通形成されたカセット装着方向視で円形の嵌合孔１４Ｂとであり、また、前記装着牽制手段Ｇを構成する前記被嵌合部Ｇ２は、選択使用されなかった転写ヘラＨ２の蓋ケース部材Ｃ２側の側板５Ｂ及び転写ローラＨ１をもって形成されている。
従って、図１と図８とに示すように、前記転写ローラＨ１を選択使用し、転写具ケースＣに第１交換カセットＡ１を装着するとき、選択使用されなかった転写ヘラＨ２の蓋ケース部材Ｃ２側の側板５Ｂと第１交換カセットＡ１の嵌合孔１４Ａとが嵌合して、該第１交換カセットＡ１が転写具ケースＣに装着される。
また、図２に示すように、前記転写ヘラＨ２を選択使用し、転写具ケースＣに第２交換カセットＡ２を装着するとき、選択使用されなかった転写ローラＨ１と第２交換カセットＡ２の嵌合孔１４Ｂとが嵌合して、該第２交換カセットＡ２が転写具ケースＣに装着される。
前記保持部材１３の周縁部分と各嵌合孔１４Ａ，１４Ｂとに亘って形成されている切欠き部１５は、各交換カセットＡ１，Ａ２を転写具ケースＣに装着するとき、前記回転アーム３の一部が保持部材１３と接当することを回避させるためのものである。
【００１６】
尚、前記第１交換カセットＡ１の嵌合孔１４Ａと転写ローラＨ１とはカセット装着方向視で輪郭が相違し、かつ、カセット装着方向から互いに嵌合不能な大きさに形成されているとともに、前記第２交換カセットＡ２の嵌合孔１４Ｂと転写ヘラＨ２の蓋ケース部材Ｃ２側の側板５Ｂとはカセット装着方向視で輪郭が相違し、かつ、カセット装着方向から互いに嵌合不能な大きさに形成されていて、図示しないが、前記転写ローラＨ１を選択使用し、転写具ケースＣに第２交換カセットＡ２を装着しようとしても、選択使用されなかった転写ヘラＨ２の蓋ケース部材Ｃ２側の側板５Ｂと第２交換カセットＡ２の嵌合孔１４Ｂとが嵌合しないため、該第２交換カセットＡ２の転写具ケースＣへの装着が阻止される。
また、前記転写ヘラＨ２を選択使用し、転写具ケースＣに第１交換カセットＡ１を装着しようとしても、選択使用されなかった転写ローラＨ１と第１交換カセットＡ１の嵌合孔１４Ａとが嵌合しないため、該第１交換カセットＡ１の転写具ケースＣへの装着が阻止される。
つまり、選択使用された転写ヘッドＨの種類と転写具ケースＣに装着される交換カセットＡの転写リボンＲの種類とが相違する場合、転写具ケースＣに該交換カセットＡを装着することができない。
【００１７】
図７と図８に示すように、前記両交換カセットＡ１，Ａ２の各々の繰り出しコア１１の内周面には、転写具ケースＣ内に設けられている繰り出しコア用筒軸１６の外周面に一体形成してある係合突起１６Ａに一体回転状態で係合する複数のリブ１１ａを一体形成してあり、また、前記両交換カセットＡ１，Ａ２の各々の巻き取りコア１２の内周面には、転写具ケースＣ内に設けられている巻き取りコア用筒軸１７の外周面に形成してある凹凸面１７ａに一体回転状態で係合する突条１２ａを備えた４本の係止体１２Ａを一体形成してある。
また、前記本体ケース部材Ｃ１内には、各交換カセットＡ１，Ａ２を転写具ケースＣに対して相対姿勢で装着した状態で、前記繰り出しコア１１のリブ１１ａが係合する前記係合突起１６Ａを備えた繰り出しコア用筒軸１６を回転のみ自在に外嵌保持する繰り出しコア用支軸１８と、前記巻き取りコア１２の前記係止体１２Ａの突条１２ａが係合する前記凹凸面１７ａを備えた巻き取りコア用筒軸１７を回転のみ自在に外嵌保持する巻き取りコア用支軸１９を一体形成してある。
【００１８】
図８に示すように、前記蓋ケース部材Ｃ１のヘッド取付け位置Ｅには、前記転写ローラＨ１を選択使用したとき、この転写ローラＨ１の遊端側に突出形成されている支軸２０を回転自在に支承して、該転写ローラＨ１を前記回転アーム３と蓋ケース部材Ｃ２との間で両持ち姿勢に保持する支承孔２１が貫通形成されている。
【００１９】
図７と図８に示すように、前記繰り出し用筒軸１６には大径ギア２２Ａが一体形成されているとともに、前記巻き取りコア用筒軸１７には小径ギア２２Ｂが一体形成されていて、これら両ギア２２Ａ，２２Ｂ同士の噛合と、巻き取りコア用筒軸１７の凹凸面１７ａと係止体１２Ａの突条１２ａとの噛合とで、繰り出しコア１１の回転と巻き取りコア１２の回転とを連動させ、転写具ケースＣ内に装着した各交換カセットＡ１，Ａ２の転写リボンＲ１，Ｒ２の繰り出しに伴って繰り出しコア１１が回転すると、使用済の転写リボンＲ１，Ｒ２が巻き取りコア１２に巻き取られるようギア連動機構２２を構成してあり、当該ギア連動機構２２は、転写リボンＲ１，Ｒ２の繰り出しコア１１に対する巻き付け径が小さくなっても、繰り出しコア１１からのリボン繰り出し速度よりも巻き取りコア１２によるリボン巻き取り速度が速くなるよう両ギア２２Ａ，２２Ｂのギア径が設定されていて、使用済の転写リボンＲ１，Ｒ２を巻き取りコア１２に確実に巻き取よう構成してある。
尚、リボン繰り出し速度とリボン巻き取り速度との速度差により、前記転写リボンＲに過大な張力が作用した場合、巻き取りコア用筒軸１７の凹凸面１７ａと巻き取りコア１２の係止体１２Ａの突条１２ａとに一定以上の噛合力が生じ、係止体１２Ａが噛合解除方向（巻き取りコア１２の直径方向外方側）に弾性変形して、凹凸面１７ａと突条１２ａとの噛合が解除されて巻き取りコア用筒軸１７と巻き取りコア１２との間の動力伝達が解除され、リボン繰り出し速度とリボン巻き取り速度との速度差が断続的に吸収されるように構成してある。
【００２０】
〔第２実施形態〕
図１０〜図１１は、本発明の塗膜転写具の第２実施形態を示し、種類の異なる転写リボンＲ（当該第２実施形態では二種類）を個別に備えた複数（当該第２実施形態では二つ）の交換カセットＡが選択的に装着される転写具ケースＣのヘッド取付け位置Ｅに、該転写具ケースＣに装着された交換カセットＡから繰り出される転写リボンＲの転写塗膜Ｄを被転写面Ｂに転写する複数種類（当該第２実施形態では二種類）の転写ヘッドＨを、交換カセットＡの転写リボンＲの種類に対応して選択使用自在に設けてあるとともに、前記選択使用された転写ヘッドＨの種類と転写具ケースＣに装着される交換カセットＡの転写リボンＲの種類とが合致したときのみ、該交換カセットＡが転写具ケースＣに装着可能となる装着牽制手段Ｇを設けて構成してある。
前記装着牽制手段Ｇを介して、転写具ケースＣのヘッド取付け位置Ｅに設けられている選択使用された転写ヘッドＨの種類と対応する種類の交換カセットＡを転写具ケースＣに装着した状態では、該交換カセットＡから繰り出された転写リボンＲが、転写具ケースＣのヘッド取付け位置Ｅに設けられている選択使用された転写ヘッドＨに、転写塗膜Ｄを外側向きとして巻き掛けられる。
【００２１】
詳しくは、前記複数種類の転写ヘッドＨは、前記転写具ケースＣのヘッド取付け部Ｅに対して選択的に付け替え自在な、合成樹脂製のローラ状の転写ヘッド（以下、転写ローラと称する。）Ｈ１と、合成樹脂製のヘラ状の転写ヘッド（以下、転写ヘラと称する。）Ｈ２とであって、これら転写ローラＨ１と転写ヘラＨ２とを別々に形成してある。
前記転写ローラＨ１は、第１アーム２６に回転自在に支承されていて、該第１アーム２６を介してヘッド取付け位置Ｅの嵌合片２３に選択的に嵌合固定されるとともに、前記転写ヘラＨ２は、第２アーム２７に一体形成されていて、該第２アーム２７を介してヘッド取付け位置Ｅの嵌合片２３に選択的に嵌合固定される。
そして、前記転写ローラＨ１をヘッド取付け位置Ｅの固定した状態では、選択使用されなかった転写ヘラＨ２を、第２アーム２７を介して転写具ケースＣ内の保管空間２４の嵌合片２５に脱着自在に嵌合保持させて保管するとともに、前記転写ヘラＨ２をヘッド取付け位置Ｅの固定した状態では、選択使用されなかった転写ローラＨ１を、第１アーム２６を介して転写具ケースＣ内の保管空間２４の嵌合片２５に着脱自在に嵌合保持させて保管する。
前記保管空間２４は、前記両交換カセットＡ１，Ａ２の保持部材１３の一部を切欠き形成して構成してある。
【００２２】
図１０と図１１に示すように、前記装着牽制手段Ｇは、選択使用された転写ヘッドＨと転写具ケースＣに装着される交換カセットＡとのカセット装着方向で相対向する部位に、転写具ケースＣに装着される交換カセットＡの転写リボンＲの種類と選択使用された転写ヘッドＨの種類とが合致したときのみ、カセット装着方向から脱着自在に嵌合する嵌合部Ｇ１と被嵌合部Ｇ２とを形成して構成してある。
【００２３】
詳しくは、前記装着牽制手段Ｇを構成する前記嵌合部Ｇ１は、前記第１交換カセットＡ１の保持部材１３に貫通形成されたカセット装着方向視で円形の嵌合孔３０Ａと、前記第２交換カセットＡ２の保持部材１３に貫通形成されたカセット装着方向視で円形の嵌合孔３０Ｂとであり、また、前記装着牽制手段Ｇを構成する前記被嵌合部Ｇ２は、選択使用された転写ヘッドＨ１，Ｈ２のアーム２６，２７に一体形成された円柱状の突起２８，２９をもって構成されている。
前記両嵌合孔３０Ａ，３０Ｂの各々は、保持部材１３のうち、両交換カセットＡ１，Ａ２をカセット装着方向で重合わせた状態で位置齟齬する部位に形成してある。
従って、図１０に示すように、前記転写ローラＨ１を選択使用し、転写具ケースＣに第１交換カセットＡ１を装着するとき、この転写ローラＨ１の第１アーム２６に形成された突起２８と第１交換カセットＡ１の嵌合孔３０Ａとが嵌合して、該第１交換カセットＡ１が転写具ケースＣに装着される。
また、図１１に示すように、前記転写ヘラＨ２を選択使用し、転写具ケースＣに第２交換カセットＡ２を装着するとき、この転写ヘラＨ２の第２アーム２７に形成された突起２９と第１交換カセットＡ１の嵌合孔３０Ｂとが嵌合して、該第２交換カセットＡ２が転写具ケースＣに装着される。
【００２４】
尚、前記転写ローラＨ１を選択使用し、転写具ケースＣに第２交換カセットＡ２を装着しようとしても、第１アーム２６の突起２８と第２交換カセットＡ２の嵌合孔３０Ｂとは、カセット装着方向で対向することがなく嵌合しないため、該第２交換カセットＡ２の転写具ケースＣへの装着が阻止される。
また、前記転写ヘラＨ２を選択使用し、転写具ケースＣに第１交換カセットＡ１を装着しようとしても、第２アーム２７の突起２９と第１交換カセットＡ１の嵌合孔３０Ａとが嵌合しないため、該第１交換カセットＡ１の転写具ケースＣへの装着が阻止される。
つまり、選択使用された転写ヘッドＨの種類と転写具ケースＣに装着される交換カセットＡの転写リボンＲの種類とが相違する場合、転写具ケースＣに該交換カセットＡを装着することができない。
その他の構成は前記第１実施形態と同一であり、第１実施形態で記載した構成部分と同一構成又は同一機能を有する構成部分には同一番号を付記してそれの説明を省略する。
【００２５】
〔その他の実施形態〕
▲１▼  前記各実施形態では、転写ヘッドＨの種類、及び、交換カセットＡの種類が共に２種類のものにおいて説明したが、転写ヘッドＨの種類、及び、交換カセットＡの種類は共に３種類以上であってもよく、また、一つの転写ヘッドにて複数種の交換カセットＡに対応できる場合は、転写ヘッドＨの種類の数と交換カセットＡの種類の数とは必ずしも一致しない。
▲２▼  前記各実施形態では、交換カセットＡを、繰り出しコア１１及び巻き取りコア１２を平板状の保持部材１３に回転自在に片持ち姿勢で保持させて構成したが、繰り出しコア１１及び巻き取りコア１２を箱状の保持部材内に両持ち姿勢で保持させて構成してもよい。
▲３▼  前記各実施形態では、交換カセットＡに使用済みの転写リボンＲを巻き取る巻き取りコア１２を設けて構成したが、巻き取りコアを省略してもよい。
この場合、使用済の転写リボンＲは、鋏やカッター等の切断具で切断除去する。
▲４▼  上述の各実施形態では、転写塗膜Ｄとして接着用粘着膜、文字修正用転写塗膜を例示したが、装飾用の着色転写塗膜等であってもよく、転写塗膜の種類、機能、用途は限定されない。尚、使用される転写塗膜の種類、機能、用途に応じて転写ヘッドの種類は選定される。
▲５▼  前記各実施形態において、繰り出しコア１１と巻き取りコア１２とをギア連動機構２２を介して連動させたが、繰り出しコア１１と巻き取りコア１２とを連動する連動機構は適宜変更が可能であり、該ギア連動機構２２に限定されるものではない。
▲６▼  前記第１実施形態では、選択使用されなかった転写ヘッドをもって被嵌合部Ｇ２を構成したが、専用の被嵌合部を個別に各転写ヘッドに設けてもよい。
▲７▼  前記第１実施形態における固定機構の構造は適宜変更が可能であり、該第１実施形態で説明した構造に限定されるものではない。
▲８▼  前記第２実施形態では、転写具ケースＣ内に選択使用されなかった転写ヘッドを保管するための保管空間２４を形成したが、選択使用されなかった転写ヘッドをケース以外の保管場所に保管するようにしてもよい。
【図面の簡単な説明】
【図１】本発明の第１実施形態の塗膜転写具を示し、転写具ケースに第１交換カセットを装着した状態の正面図
【図２】本発明の第１実施形態の塗膜転写具を示し、転写具ケースに第２交換カセットを装着した状態の正面図
【図３】固定機構の分解斜視図
【図４】固定機構を示し、（イ）は転写ローラをヘッド取付け位置に位置させた状態の断面図、（ロ）は固定解除状態を示す断面図、（ハ）は転写ヘラをヘッド取付け位置に位置させた状態の断面図
【図５】第１交換カセットの正面図
【図６】第２交換カセットの正面図
【図７】転写具ケースに第１交換カセットを装着する状態を示す断面図
【図８】転写具ケースに第１交換カセットを装着した状態を示す断面図
【図９】塗膜転写具の使用状態を示す斜視図で、（イ）は第１交換カセットを装着した塗膜転写具、（ロ）は第２交換カセットを装着した塗膜転写具
【図１０】本発明の第２実施形態の塗膜転写具を示し、転写具ケースに第１交換カセットを装着した状態の正面図
【図１１】本発明の第２実施形態の塗膜転写具を示し、転写具ケースに第２交換カセットを装着した状態の正面図
【符号の説明】
Ａ      交換カセット
Ｂ      被転写面
Ｃ      転写具ケース
Ｄ      転写塗膜
Ｅ      ヘッド取付け位置
Ｇ      装着牽制手段
Ｇ１    嵌合部
Ｇ２    被嵌合部
Ｈ      転写ヘッド
Ｒ      転写リボン
【図１】
0003778643.tif 000002
【図２】
0003778643.tif 000003
【図３】
0003778643.tif 000004
【図４】
0003778643.tif 000005
【図５】
0003778643.tif 000006
【図６】
0003778643.tif 000007
【図７】
0003778643.tif 000008
【図８】
0003778643.tif 000009
【図９】
0003778643.tif 000010
【図１０】
0003778643.tif 000011
【図１１】
0003778643.tif 000012